(57)【特許請求の範囲】
【請求項１】
海岸部に設置するケーソンであって、内部を空洞とした筐体の前側と後側を隔壁面で区画して前側を消波部、後側を浄化部とし、前記消波部は、前記筐体の前部に、前側の多数の柱の外面から前記隔壁面までの距離Ｓとしたとき、前側の多数の柱の外面から後側の多数の柱における前後方向の中央位置までの距離Ｓ１をＳ／４とすると共に、前後の多数の柱の配置ピッチを１／３〜１／２として、前側の多数の柱の隙間に後側の多数の柱が位置するように配置し、さらに、床面に前記筐体の前部から前記隔壁面に向かって上り勾配で表面に凸部を形成した傾斜面を設けた構造とし、また、前記浄化部は、前記隔壁面と前記筐体の後部壁面とに多数の貫通孔を設けると共に、該隔壁面と該筐体の後部壁面との間に浄化部材を充填した構造としたことを特徴とする消波及び海水浄化機能を備えたケーソン。
【請求項２】
複数の柱に代えて、前後に所定間隔を存して設けた壁面に、多数の貫通孔を設けたことを特徴とする請求項１記載の消波及び海水浄化機能を備えたケーソン。
【請求項３】
消波部には、筐体の前部と隔壁面との中途箇所で、底面から上方中途位置まで伸びた仕切面を設けたことを特徴とする請求項１又は２記載の消波及び海水浄化機能を備えたケーソン。
【請求項４】
浄化部には、筐体上面に複数の孔を形成したことを特徴とする請求項１乃至３のいずれかに記載の消波及び海水浄化機能を備えたケーソン。
【請求項５】
筐体の前部頂上部に、前方上方に傾斜した波返り部を形成したことを特徴とする請求項１乃至４のいずれかに記載の消波及び海水浄化機能を備えたケーソン。
【請求項６】
岸壁部に設置するケーソンであって、内部を空洞とした筐体の前側と後側を隔壁面で区画して前側を消波部、後側を浄化部とし、前記消波部は、前記筐体の前部に、前側の多数の柱の外面から前記隔壁面までの距離Ｓとしたとき、前側の多数の柱の外面から後側の多数の柱における前後方向の中央位置までの距離Ｓ１をＳ／４とすると共に、前後の多数の柱の配置ピッチを１／３〜１／２として、前側の多数の柱の隙間に後側の多数の柱が位置するように配置し、さらに、床面に前記筐体の前部から前記隔壁面に向かって上り勾配の傾斜面を設け、この傾斜面には表面に複数の凸部が形成されると共に、該傾斜面の表裏面を貫通する複数の貫通孔が形成され、かつ該傾斜面の裏面側内部に浄化部材を充填した構造とし、また、前記浄化部は、前記隔壁面に多数の貫通孔を設けると共に、該隔壁面と該筐体の後部壁面との間に浄化部材を充填した構造としたことを特徴とする消波及び海水浄化機能を備えたケーソン。
【請求項７】
複数の柱に代えて、前後に所定間隔を存して設けた壁面に、多数の貫通孔を設けたことを特徴とする請求項６記載の消波及び海水浄化機能を備えたケーソン。
【請求項８】
筐体の前部頂上部に、前方上方に傾斜した波返り部を形成したことを特徴とする請求項６又は７に記載の消波及び海水浄化機能を備えたケーソン。
【発明の詳細な説明】
【０００１】
【発明の属する技術分野】
本発明は、海岸部に設置するケーソンに係り、特に消波機能の向上と海水の浄化機能を付加した消波及び海水浄化機能を備えたケーソンに関するものである。
【０００２】
【従来の技術】
従来、海岸部には、例えばコンクリート製のブロック、テトラポットなどを配置して、消波又は防波並びに陸地の浸食防止を図っている。また、港湾では、湾内と外海とを区画するための岸壁を設けている。これら海に面した箇所に配置又は埋設される構造物は、狭義の意味での潜函（＝ケーソン）とは異なるが、広義の意味で一般的にケーソンと呼ばれている。従って、以下、本願においてケーソンとは、海に面した箇所に配置又は埋設されたコンクリート製のブロック、テトラポット、及び岸壁等の構造物の総称を意味することとする。
【０００３】
【発明が解決しようとする課題】
ところで、海洋を取り巻く環境は、地球温暖化に伴う海水面の上昇や、人間の経済活動等による海水の汚濁現象等によって一段と厳しい状況にある。しかしながら、従来のケーソンは、こうした状況を軽減したり防止したりするといったものではなく、基本的に消波性や防波性に重点が置かれたものであり、例えば外海に臨んだ面にスリットや開口等を形成して消波性や防波性の向上を図るといった工夫は見られるものの、海水の汚濁現象などに対処する構造とはなっていない。
【０００４】
本発明は、上記した不具合を解消するためになされたものであり、海水の浄化機能を備えると共に消波性及び防波性を向上させることができる消波及び海水浄化機能を備えたケーソンを提供することを目的としている。
【０００５】
【課題を解決するための手段】
上記した目的を達成するために、本発明は、港内と外海とで海水が流通する岸壁に設置するケーソンとして、内部を空洞とした筐体の前側と後側を隔壁面で区画して前側を消波部、後側を浄化部とし、消波部は、前側の多数の柱の外面から隔壁面までの距離Ｓとしたとき、前側の多数の柱の外面から後側の多数の柱における前後方向の中央位置までの距離Ｓ１をＳ／４とすると共に、前後の多数の柱の配置ピッチを１／３〜１／２として、前側の多数の柱の隙間に後側の多数の柱が位置するように配置し、さらに、床面に前部から隔壁面に向かって上り勾配で表面に凸部を形成した傾斜面を設け、また、浄化部は、隔壁面と後部壁面とに多数の貫通孔を設けると共に、隔壁面と後部壁面との間に浄化部材を充填したのである。
【０００６】
また、本発明は、海岸部の岸壁に設置するケーソンとして、内部を空洞とした筐体の前側と後側を隔壁面で区画して前側を消波部、後側を浄化部とし、消波部は、前側の多数の柱の外面から隔壁面までの距離Ｓとしたとき、前側の多数の柱の外面から後側の多数の柱における前後方向の中央位置までの距離Ｓ１をＳ／４とすると共に、前後の多数の柱の配置ピッチを１／３〜１／２として、前側の多数の柱の隙間に後側の多数の柱が位置するように配置し、さらに、床面に前部から隔壁面に向かって上り勾配の傾斜面を設け、この傾斜面には、表面に複数の凸部が形成される共に表裏面を貫通する複数の貫通孔が形成され、かつ裏面側内部に浄化部材が充填された構造とされ、また、浄化部は、隔壁面に多数の貫通孔を設けると共に、隔壁面と後部壁面との間に浄化部材を充填したのである。
【０００７】
本発明は、いずれにおいても、上記構成としたことにより、筐体に寄せられた波は筐体内に流入する際に消波され、また筐体内においても波が発生することがなく、さらには筐体内で海水を浄化することができる。
【０００８】
【発明の実施の形態】
本発明の消波及び海水浄化機能を備えたケーソンは、海岸部に設置するケーソンであって、内部を空洞とした筐体の前側と後側を隔壁面で区画して前側を消波部、後側を浄化部とし、消波部は、前側の多数の柱の外面から隔壁面までの距離Ｓとしたとき、前側の多数の柱の外面から後側の多数の柱における前後方向の中央位置までの距離Ｓ１をＳ／４とすると共に、前後の多数の柱の配置ピッチを１／３〜１／２として、前側の多数の柱の隙間に後側の多数の柱が位置するように配置し、さらに、床面に筐体の前部から隔壁面に向かって上り勾配で表面に凸部を形成した傾斜面を設けた構造とし、また、浄化部は、隔壁面と筐体の後部壁面とに多数の貫通孔を設けると共に、該隔壁面と該筐体の後部壁面との間に浄化部材を充填したものである。また、本発明は、上記構成において、複数の柱に代えて、前後に所定間隔を存して設けた壁面に、多数の貫通孔を設けたものである。
【０００９】
上記の構成によれば、前部に寄せられた波は、前部に前後に立設した複数の柱、又は多数の貫通孔が形成され前後に所定間隔を存して設けた壁面によって消波され、さらに床面に前部から隔壁面に向かって上り勾配で表面に凸部を形成した傾斜面によって消波される。そして、消波部において消波されここに貯留した海水は、隔壁面の多数の孔から浄化部に流入し、ここで浄化部材によって浄化され、順次筐体の後部壁面に多数設けられた孔から流出される。
【００１０】
また、本発明の消波及び海水浄化機能を備えたケーソンは、上記構成において、消波部に、筐体の前部と隔壁面との中途箇所で、底面から上方中途位置まで伸びた仕切面を設ければ、仕切面と隔壁面との間で消波部を通過した海水が貯留され、この貯留箇所から浄化部に海水が流入するので、浄化効率が向上する。
【００１１】
また、本発明の消波及び海水浄化機能を備えたケーソンは、上記したいずれかの構成において、浄化部には、筐体上面に複数の孔を形成すれば、この上面の孔から空気が流通して浄化部の海水浄化性が向上する。
【００１２】
また、本発明の消波及び海水浄化機能を備えたケーソンは、上記したいずれかの構成において、筐体の前部頂上部に、前方上方に傾斜した波返り部を形成すれば、前部に衝突した波が筐体の上部を越えることを防止できる。
【００１３】
また、本発明の消波及び海水浄化機能を備えたケーソンは、岸壁部に設置するケーソンであって、内部を空洞とした筐体の前側と後側を隔壁面で区画して前側を消波部、後側を浄化部とし、消波部は、前側の多数の柱の外面から隔壁面までの距離Ｓとしたとき、前側の多数の柱の外面から後側の多数の柱における前後方向の中央位置までの距離Ｓ１をＳ／４とすると共に、前後の多数の柱の配置ピッチを１／３〜１／２として、前側の多数の柱の隙間に後側の多数の柱が位置するように配置し、さらに、床面に筐体の前部から隔壁面に向かって上り勾配の傾斜面を設け、この傾斜面には表面に複数の凸部が形成されると共に、該傾斜面の表裏面を貫通する複数の貫通孔が形成され、かつ該傾斜面の裏面側内部に浄化部材を充填した構造とし、また、浄化部は、隔壁面に多数の貫通孔を設けると共に、該隔壁面と該筐体の後部壁面との間に浄化部材を充填した構造としたものである。また、本発明は、上記構成において、複数の柱に代えて、前後に所定間隔を存して設けた壁面に、多数の貫通孔を設けたものである。
【００１４】
上記の構成によれば、本発明の消波及び海水浄化機能を備えたケーソンは岸壁の海側に面して設けられており、前部に寄せられた波は、前部に前後に立設した複数の柱、又は多数の貫通孔が形成され前後に所定間隔を存して設けた壁面によって消波され、さらに床面に前部から隔壁面に向かって上り勾配で形成した傾斜面表面の複数の凸部によって消波されつつ、海水が傾斜面の複数の貫通孔から該傾斜面の裏面側内部に流入し、ここで浄化される。また、傾斜面の裏面側内部に流入しなかった海水は、隔壁面の多数の孔から浄化部に流入し、ここで浄化部材によって浄化され、順次前部に戻される。このときにも傾斜面の裏面側内部に海水が流入して浄化部材で浄化されるので、海水は確実に浄化される。
【００１５】
また、本発明の消波及び海水浄化機能を備えたケーソンは、上記したいずれかの構成において、筐体の前部頂上部に、前方上方に傾斜した波返り部を形成すれば、前部に衝突した波が筐体の上部を越えることを防止できる。
【００１６】
【実施例】
以下、本発明の消波及び海水浄化機能を備えたケーソンの実施例について、図１〜図４を参照して説明する。
図１は、本発明の消波及び海水浄化機能を備えたケーソン（以下、ケーソンと略す。）の構成を示す。図２は、本発明のケーソンの前部、隔壁面、及び後部壁面の詳細を示す。図３は、本発明のケーソンの他の構成を示す。図４は、本発明のケーソンのさらに他の構成を示す。
【００１７】
１は、海岸部、本実施例では湾内と外海とを区画する岸壁として設置し、外海から港湾内に寄せる波を消波すると共に海水を浄化して湾内へ流出させる本発明のケーソンであり、以下のように構成されている。２は、ケーソン１の外形を構成する空洞の、例えばコンクリートで形成された筐体である。
【００１８】
筐体２のうち、海に臨む部分２Ａ（以下、前部２Ａという）は、打ち寄せられる入射波と反射波のエネルギーを消散させ、海水を筐体２内に流入させるために、前後に所定間隔を存して、例えば千鳥状に、前側の多数の柱２ａ、後側の多数の柱２ｄが立設されている。また、筐体２の後部壁面２Ｂ（以下、後面２Ｂという）には、浄化した海水を流出させるための孔２Ｂａが多数形成されている。
【００１９】
さらに、筐体２の内部には、前部２Ａと後面２Ｂとの間の所定位置に孔２Ｃａが多数形成された隔壁面２Ｃが設けられており、この隔壁面２Ｃにより、筐体２内が、前側つまり前部２Ａ側を消波部１Ａに、後側つまり後面２Ｂ側を浄化部１Ｂに区画されている。なお、隔壁面２Ｃと後面２Ｂに形成された孔２Ｃａ，２Ｂａは、筐体２の上部から後述の傾斜面３の高さ位置までに多数形成されている。
【００２０】
前後に千鳥状に立設した多数の柱２ａ，２ｄは、例えば以下のように設定されている。図２に示すように、前側の多数の柱２ａの外面から隔壁面２までの距離Ｓは、入射波の波長Ｌとした場合Ｌ／４とされており、さらに、前側の多数の柱２ａの外面から後側の多数の柱２ｄにおける前後方向の中央位置までの距離Ｓ１は、Ｓ／４とされている。
【００２１】
また、前後の多数の柱２ａ，２ｄは、上記したように前側の多数の柱２ａの隙間に後側の多数の柱２ｄが位置するように配置されており、前側の多数の柱２ａ及び後側の多数の柱２ｄの隙間間隔Ｂは、Ｌ／３２〜Ｌ／１６の大きさとされており、また、前後の多数の柱２ａ，２ｄの配置ピッチＢ／Ｄは、１／３〜１／２とされている。このように設定することにより、波を効率よく消波することができるのである。
【００２２】
３は、消波部１Ａの内底面に設けられ、波エネルギーの消散と反射波の低減を図るための凸部３ａを有した傾斜面であり、この傾斜面３は、本実施例では前部２Ａから隔壁面２Ｃに向かって次第に高くなるように設けている。
【００２３】
４は、前部２Ａの上部に、前方に向かって上方に傾斜して設けた波返り部であり、この波返り部４は、前側の多数の柱２ａで受けた波が筐体２の上部を乗り越えることを防止するためのものである。
【００２４】
一方、筐体２の浄化部１Ｂの上面には、孔１Ｂａが多数形成されており、この孔１Ｂａから空気が流通することにより、該浄化部１Ｂ内の海水は常に酸素が供給されて海水の浄化作用を促進することができるのである。
【００２５】
５は、隔壁面２Ｃにより区画された浄化部１Ｂに充填された浄化部材であり、この浄化部材５は、本実施例では隔壁面２Ｃの孔２Ｃａ、後面２Ｂの孔２Ｂａを抜けたり詰まったりしない程度の大きさのポーラス状の石材が使用されている。
【００２６】
浄化部材５を浄化部１Ｂに充填することにより、ケーソン１は、空洞の筐体２に適度の重量が加わることとなり安定して配置することができる。なお、浄化部材５は、筐体２における浄化部１Ｂの上部に設けられたマンホール（不図示）から取り替えられる。
【００２７】
次に、上記構成のケーソン１の作用効果を説明する。外海から波が寄せられると、まず前部２Ａの前側の多数の柱２ａにて受けられ、ここで、前側の多数の柱２ａの隙間から消波部１Ａに流入せず該前側の多数の柱２ａで跳ね返った波は、波返り部４に衝突して、外海側に返される。このようにしたことにより、少々の高い波が寄せられても、ケーソン１の筐体２上面を波が越えることを防止することができる。
【００２８】
さらに、外海から寄せられた波のうち、前側の多数の柱２ａの隙間から流入した波は、さらに、後側の多数の柱２ｄで受けられ、該後側の多数の柱２ｄにより消波される。そして、後側の多数の柱２ｄに衝突する波は、前側の多数の柱２ａとの間で次第に小さくなる。
【００２９】
また、後側の多数の柱２ｄの隙間からさらに内部に流入した海水は、続いて凸部３ａを有した傾斜面３に接触することで、順次流入する海水による波の発生が抑制される。このように、前後の多数の柱２ａ，２ｄ及び傾斜面３によって、消波部１Ａ内に流入する波が消波されると共に、消波部１Ａ内における波の発生が防止される。
【００３０】
そして、消波部１Ａに、貯留した海水は、新たに消波部１Ａ内に流入する海水によって順次、隔壁面２Ｃの孔２Ｃａを介して浄化部１Ｂへ流出する。浄化部１Ｂでは、ここに充填された浄化部材５によって海水が濾過され、こうして浄化された海水が、後面２Ｂの孔２Ｂａから順次港湾内に流出する。
【００３１】
なお、ケーソン１は、上記実施例では、前部２Ａに前後の多数の柱２ａ，２ｄを立設していたが、これに代えて、図示しないが、例えば筐体２の前部２Ａに、前後に壁面を設け、これら前後の壁面のそれぞれに、前後で同一線上に並ばないように多数の貫通孔を形成した構造としてもよく、このようにすることによっても、上記と同等の作用効果を得ることができる。
【００３２】
ところで、上記実施例では、消波部１Ａと浄化部１Ｂとが連続した状態で構成されていたので、消波部１Ａから隔壁面２Ｃの孔２Ｃａを通って流出した海水は、順次消波部１Ａから流出する海水によって十分な浄化がされぬまま、後面２Ｂから流出するといった可能性もある。
【００３３】
そこで、図３に示す本発明のケーソン１の他の実施例では、消波部１Ａにおいて、前部２Ａと隔壁面２Ｃとの中途箇所に、底面から上方中途位置まで伸びた仕切面２Ｅを有している。また、この実施例では、隔壁面２Ｃ及び後面２Ｂの多数の孔２Ｃａ及び２Ｂａは、筐体２の上下に亘って全面的に形成されている。
【００３４】
上記の構成とすることで、仕切面２Ｅと隔壁面２Ｃとの間の空間と消波部１Ａとで水位の差を設けることができ、従って消波部１Ａを通過した海水が仕切面２Ｅと隔壁面２Ｃとの間の空間で貯留され、この貯留箇所で一定量貯留された海水が孔２Ｃａから順次浄化部１Ｂへ定量的に流入し、ここで浄化された海水が孔２Ｂａから港湾内に流出するので、浄化作用が促進され、浄化効率が向上する。
【００３５】
このように、本発明のケーソン１は、消波部１Ａでは、前後の多数の柱２ａ，２ｄによって、入射波と反射波のエネルギーが消散され、また、傾斜面３によって、反射波のエネルギーが消散されるので、湾内の海面状態を安定させることができ、また、浄化部１Ｂでは、隔壁面２Ｃの孔２Ｃａを介して、順次消波部１Ａに流入する海水によって流出した海水を浄化部材５で浄化し、後面２Ｂの孔２Ｂａから流出するので、特別で複雑な構造を要することなく簡易な構成により海水を浄化することができるのである。
【００３６】
また、ケーソン１は、波返り部４を設けることで、高波が筐体２を越えることを防止することができ、さらに、浄化部１Ｂにおいて筐体２の上面に多数の孔１Ｂａを形成することで、浄化効率が向上し、また、消波部１Ａにおいて前部２Ａと隔壁面２Ｃとの中途箇所に仕切面２Ｅを設けることで、消波部１Ａにおいて仕切面２Ｅと隔壁面２Ｃで海水が貯留する空間を形成することができ、これによって浄化効率を向上させることができる。
【００３７】
上記実施例では、ケーソン１は、湾内と外海とを区画する岸壁として設置していたが、一方が海に面しており、他方が陸に面しているといった海岸部の岸壁の海側の面に設置する場合は、図４のように構成する。図４に示すケーソン１１は、傾斜面３の裏面側内部が中空とされ、この中空にも浄化部材５が充填され、該傾斜面３には複数の凸部３ａの他に表裏面を貫通する複数の貫通孔３ｂが形成されている点、及び浄化部１Ｂに孔１Ｂａを有していない点、さらには後面２Ｂに孔２Ｂａを有していない点が上記実施例のケーソン１とは異なっている。
【００３８】
ケーソン１１は、波が寄せられると、前部２Ａの前側の多数の柱２ａ、多数の柱２ｄで受けられ、消波する。そして、後側の多数の柱２ｄの隙間からさらに内部に流入した海水は、傾斜面３の凸部３ａで該傾斜面３における波の発生が抑制されつつ、貫通孔３ｂから傾斜面３の裏面側内部に流入する。そして、傾斜面３の裏面側内部に流入した海水は、浄化部材５によって浄化される。
【００３９】
一方、消波部１Ａに貯留した海水は、新たに消波部１Ａ内に流入する海水によって順次、隔壁面２Ｃの孔２Ｃａを介して浄化部１Ｂへ流出する。浄化部１Ｂでは、ここに充填された浄化部材５によって海水が濾過され、こうして浄化された海水が、順次消波部１Ａに戻される。このときにも、傾斜面３の貫通孔３ｂ内から該傾斜面３の裏面側内部に海水が流入するので、海水はさらに浄化されることとなる。
【００４０】
なお、ケーソン１１は、上記実施例と同様に、前後の多数の柱２ａ，２ｄに代えて、図示しないが、例えば筐体２の前部２Ａに、前後に壁面を設け、これら前後の壁面のそれぞれに、前後で同一線上に並ばないように多数の貫通孔を形成した構造としてもよく、このようにすることによっても、上記と同等の作用効果を得ることができる。また、ケーソン１１は、波返り部４を設けているので、高波が筐体２を越えることを防止することができる。
【００４１】
なお、本発明は上記実施例に限定されず、種々の変形が可能であり、浄化部材５としては上記実施例ではポーラス状の石材を用いたが、これに限らず砂等を用いてもよく、また、傾斜面３の凸部の形状は問わず、また、外形形状は湾曲状であってもよい。
【００４２】
さらには、前後の多数の柱２ａ，２ｄは、上記実施例では千鳥状に立設する構成としたが、例えば、前側の多数の柱２ａの太さと、後側の多数の柱２ｄの太さを異ならせたり、前側の多数の柱２ａの立設ピッチと、後側の多数の柱２ｄの立設ピッチを異ならせたりして、適宜最適に設定してもよい。さらに、前後の多数の柱２ａ，２ｄに代えて、前後に多数の貫通孔を形成した壁面を設けた場合は、同様に貫通孔のピッチや大きさを調整すればよい。
【００４３】
【発明の効果】
以上説明したように、本発明の消波及び海水浄化機能を備えたケーソンは、内部を空洞とした筐体の前側と後側を隔壁面により消波部と浄化部に区画し、消波部は、前側の多数の柱の外面から隔壁面までの距離Ｓとしたとき、前側の多数の柱の外面から後側の多数の柱における前後方向の中央位置までの距離Ｓ１をＳ／４とすると共に、前後の多数の柱の配置ピッチを１／３〜１／２として、前側の多数の柱の隙間に後側の多数の柱が位置するように配置し、さらに、床面に筐体の前部から隔壁面に向かって上り勾配で表面に凸部を形成した傾斜面を設け、また、浄化部は、隔壁面と筐体の後部壁面とに多数の貫通孔を設けると共に、該隔壁面と該筐体の後部壁面との間に浄化部材を充填したので、あるいは、筐体前部の前後に立設した複数の柱に代え、前後に所定間隔を存して設けた壁面に、多数の貫通孔を設けたので、消波部で筐体に寄せられた波を確実に消波することができ、また、浄化部で筐体内に流入した海水を浄化することができる。
【００４４】
また、本発明の消波及び海水浄化機能を備えたケーソンは、上記構成において、消波部に、筐体の前部と隔壁面との中途箇所で、底面から上方中途位置まで伸びた仕切面を設ければ、仕切面と隔壁面との間の空間で海水が貯留され、この貯留箇所から浄化部に海水が安定して流入するので、浄化効率が向上する。
【００４５】
また、本発明の消波及び海水浄化機能を備えたケーソンは、上記したいずれかの構成において、浄化部には、筐体上面に多数の孔を形成すれば、この上面の孔から空気が流通して浄化部の海水浄化性が向上する。
【００４６】
また、本発明の消波及び海水浄化機能を備えたケーソンは、上記したいずれかの構成において、筐体の前部の頂上部に、前方上方に傾斜した波返り部を形成すれば、波が筐体の上部を越えることを防止できる。
【００４７】
また、本発明の消波及び海水浄化機能を備えたケーソンは、内部を空洞とした筐体の前側と後側を隔壁面により消波部と浄化部に区画し、消波部は、前側の多数の柱の外面から隔壁面までの距離Ｓとしたとき、前側の多数の柱の外面から後側の多数の柱における前後方向の中央位置までの距離Ｓ１をＳ／４とすると共に、前後の多数の柱の配置ピッチを１／３〜１／２として、前側の多数の柱の隙間に後側の多数の柱が位置するように配置し、さらに、消波部の床面に筐体の前部から隔壁面に向かって上り勾配の傾斜面を設け、この傾斜面には表面に複数の凸部が形成されると共に、該傾斜面の表裏面を貫通する複数の貫通孔が形成され、かつ該傾斜面の裏面側内部に浄化部材を充填した構造とし、また、浄化部は、隔壁面に多数の貫通孔を設けると共に、該隔壁面と該筐体の後部壁面との間に浄化部材を充填し、また、この構成において、筐体前部の前後に立設した複数の柱に代え、前後に所定間隔を存して設けた壁面に、多数の貫通孔を設けたので、消海岸部の岸壁で、確実に消波を行うことができると共に海水を浄化することが可能となり、また、浄化部材によって自身を安定して配置させることができる。
【００４８】
また、本発明の消波及び海水浄化機能を備えたケーソンは、筐体の前部頂上部に、前方上方に傾斜した波返り部を形成したので、上記と同等の作用効果を得ることができる。
【図面の簡単な説明】
【図１】本発明の消波及び海水浄化機能を備えたケーソンの概略構成を示す中央縦断面図である。
【図２】本発明の消波及び海水浄化機能を備えたケーソンの前部、隔壁面、周辺の詳細を示す部分横断面図である。
【図３】本発明の消波及び海水浄化機能を備えたケーソンの他の構成を示す中央縦断面図である。
【図４】本発明の消波及び海水浄化機能を備えたケーソンのさらに他の構成を示す中央縦断面図である。
【符号の説明】
１      （消波及び海水浄化機能を備えた）ケーソン
１Ａ    消波部
１Ｂ    浄化部
２      筐体
２Ａ    前部
２ａ    （前側の）多数の柱
２Ｂ    後面（後部壁面）
２Ｂａ  孔
２Ｃ    隔壁面
２Ｃａ  孔
２ｄ    （後側の）多数の柱
２Ｅ    仕切面
３      傾斜面
３ａ    凸部
３ｂ    貫通孔
４      波返り部
５      浄化部材
１１    ケーソン
【図１】
0003648394.tif 000002
【図２】
0003648394.tif 000003
【図３】
0003648394.tif 000004
【図４】
0003648394.tif 000005